(57)【要約】  従来のＰＣ内蔵型のテレビジョン装置においては、ＰＣをテレビ筐体から取り出すことができなかったため、ＰＣのバージョンアップを容易に行うことができないという課題がある。  解決手段として、パソコン本体と、このパソコン本体を筐体内の格納スペースに格納可能なテレビジョン装置と、からなるパソコンテレビ装置を提供する。テレビジョン装置は、格納スペースにパソコン本体をスライド挿抜するためのスライド機構を有し、パソコン本体とテレビジョン装置とは、パソコン本体のスライド挿抜に応じて相互に着脱する一のコネクタのみで電気的に接続されている。これにより、パソコン本体をテレビジョン装置内に挿入したり、挿抜することが容易に可能となる。
2007135756.tif 000002
【特許請求の範囲】
【請求項１】
パソコン本体と、このパソコン本体を筐体内の格納スペースに格納可能なテレビジョン装置と、からなるパソコンテレビ装置であって、
テレビジョン装置は、格納スペースにパソコン本体をスライド挿抜するためのスライド機構を有するパソコンテレビ装置。
【請求項２】
パソコン本体とテレビジョン装置とは、パソコン本体のスライド挿抜に応じて相互に着脱する一の接触型コネクタのみで電気的に接続されている請求項１に記載のパソコンテレビ装置。
【請求項３】
パソコン本体とテレビジョン装置とは、パソコン本体のスライド挿抜に応じて相互に着脱する二以上の接触型コネクタで電気的に接続されている請求項１に記載のパソコンテレビ装置。
【請求項４】
パソコン本体とテレビジョン装置とは、パソコン本体のスライド挿抜に応じて相互に非接触で信号などの送受信を行う非接触型コネクタを有する請求項１に記載のパソコンテレビ装置。
【請求項５】
パソコン本体は、テレビジョン装置との前記コネクタにより給電される請求項１から４のいずれか一に記載のパソコンテレビ装置。
【請求項６】
パソコン本体は放熱のための放熱開口をパソコン筐体に有し、
テレビジョン装置は、格納されたパソコン本体の前記放熱開口が対面するテレビジョン装置の筐体の位置に対応開口を有する請求項１から５のいずれか一に記載のパソコンテレビ装置。
【請求項７】
パソコン本体の前記コネクタと対向する面は、パソコン外部装置との接続端子を備えた外部装置接続面であり、
テレビジョン装置の格納スペースとパソコン本体の構造及びサイズは、パソコン本体がテレビジョン装置に格納された状態で外部装置接続面がテレビジョン装置前面から隠れる位置に配置される構造及びサイズである請求項１から６のいずれか一に記載のパソコンテレビ装置。
【請求項８】
テレビジョン装置は、パソコン本体を制御するための制御信号取得部を有し、
前記コネクタは、取得した制御信号をテレビジョン装置からパソコン本体に送信する機能をも有する請求項１から７のいずれか一に記載のパソコンテレビ装置。
【請求項９】
パソコン本体は、テレビジョン装置を制御するための制御命令出力部を有し、
前記コネクタは、出力される制御命令をテレビジョン装置に対して伝送する機能をも有する請求項１から８のいずれか一に記載のパソコンテレビ装置。
【請求項１０】
パソコン本体はセンサを有し、
制御命令出力部は、制御命令をセンサの感知に基づいて出力するセンサ感知出力手段を有する請求項９に記載のパソコンテレビ装置。
【請求項１１】
テレビジョン装置は、薄型ディスプレイを備えた薄型筐体を有し、
格納スペースは、パソコン本体の筐体主面をテレビジョン装置の筐体主面と平行に格納する請求項１から１０のいずれか一に記載のパソコンテレビ装置。
【請求項１２】
前記コネクタは、パソコン本体側がメスコネクタであり、テレビジョン装置側がオスコネクタである請求項１から１１のいずれか一に記載のパソコンテレビ装置。
【請求項１３】
前記コネクタは、パソコン本体側がオスコネクタであり、テレビジョン装置側がメスコネクタである請求項１から１１のいずれか一に記載のパソコンテレビ装置。
【請求項１４】
前記二以上の接触型コネクタは、少なくとも一のコネクタがパソコン本体側がメスコネクタであり、テレビジョン装置側がオスコネクタであり、他のコネクタがパソコン本体側がオスコネクタであり、テレビジョン装置側がメスコネクタである請求項３に記載のパソコンテレビ装置。
【請求項１５】
前記パソコン本体は、セットトップボックス機能を含む請求項１から１４のいずれか一に記載のパソコンテレビ装置。
【請求項１６】
請求項１から１５のいずれか一に記載のパソコン本体。
【請求項１７】
請求項１から１５のいずれか一に記載のテレビジョン装置。
【発明の詳細な説明】
【技術分野】
【０００１】
本発明は、パソコン本体と、パソコン本体を格納可能なテレビジョン装置と、からなるパソコンテレビ装置に関する。
【背景技術】
【０００２】
従来、ＰＣ（personal computer）を内蔵したテレビジョン装置が広く知られている（例えば特許文献１参照）。特許文献１には、ＰＣなどの電子機器をリアプロジェクションテレビ内に収納する旨の発明が開示されている。【０００３】
また、特許文献２には、ＰＣとモニタディスプレイを一体型とし、ＰＣを着脱可能にする旨の内容が開示されている。
【特許文献１】特開２００５−３３１６２７号公報
【特許文献２】実開平７−１３０２４号公報
【発明の開示】
【発明が解決しようとする課題】
【０００４】
しかしながら、特許文献１に記載のＰＣ内蔵型のテレビジョン装置においては、ＰＣをテレビ筐体から取り出すことができなかったため、ＰＣのバージョンアップを容易に行うことができないという課題がある。また、特許文献２に記載の考案は、単にＰＣ本体の凹部と、テレビジョン装置の凸部とを嵌め込んで一体型としているに過ぎず、取り外しを行う際の利便性が考慮されておらず、ユーザビリティに乏しいという課題がある。【０００５】
そこで、本発明は、かかる課題に鑑みてなされたものであり、テレビジョン装置の筐体内にパソコン本体を着脱可能に構成することによって、ＰＣのバージョンアップに容易に対処可能とさせるとともに、着脱時及び利用時の利便性の向上を図ったパソコンテレビ装置を提供することを目的とする。
【課題を解決するための手段】
【０００６】
そこで、本発明においては、かかる課題を解決するために、パソコン本体と、このパソコン本体を筐体内の格納スペースに格納可能なテレビジョン装置と、からなるパソコンテレビ装置を提供する。テレビジョン装置は、格納スペースにパソコン本体をスライド挿抜するためのスライド機構を有する。パソコン本体とテレビジョン装置とは、パソコン本体のスライド挿抜に応じて相互に着脱する一の接触型コネクタのみで電気的に接続されていてもよいし、二以上の接触型コネクタで電気的に接続されていてもよい。また、非接触で信号などの送受信を行う非接触型コネクタを有してもよい。これにより、パソコン本体をテレビジョン装置内に挿入したり、挿抜することが容易に可能となる。【０００７】
また、パソコン本体は、テレビジョン装置との前記コネクタにより給電されてもよい。これにより、電源を共有できるため、コストを削減することができる。【０００８】
また、パソコン本体は放熱のための放熱開口をパソコン筐体に有し、テレビジョン装置は、格納されたパソコン本体の前記放熱開口が対面するテレビジョン装置の筐体の位置に対応開口を有してもよい。これにより、テレビジョン装置の筐体内にパソコン本体を格納した場合であっても、適切に放熱を行うことができる。【０００９】
また、パソコン本体の前記一のコネクタと対向する面は、パソコン外部装置との接続端子を備えた外部装置接続面であり、テレビジョン装置の格納スペースとパソコン本体の構造及びサイズは、パソコン本体がテレビジョン装置に格納された状態で外部装置接続面がテレビジョン装置前面から隠れる位置に配置される構造及びサイズであってもよい。これにより、パソコン本体の外部接続用の端子にケーブルを差し込んだ場合に、表面側からそのケーブルを覆い隠すことができる。【００１０】
また、テレビジョン装置は、パソコン本体を制御するための制御信号取得部を有し、前記一のコネクタは、取得した制御信号をテレビジョン装置からパソコン本体に送信する機能をも有してもよい。これにより、例えばテレビジョン装置側に備えられたリモコン受光器を用いてパソコンの操作・制御を行うことができる。【００１１】
また、パソコン本体は、テレビジョン装置を制御するための制御命令出力部を有し、前記コネクタは、出力される制御命令をテレビジョン装置に対して伝送する機能をも有してもよい。これにより、パソコン本体側からテレビジョン装置を制御することができる。また、パソコン本体はセンサを有し、制御命令出力部は、制御命令をセンサの感知に基づいて出力するセンサ感知出力手段を有してもよい。これにより、例えばセンサによって人の姿を検知できなかった場合には、テレビの電源を自動的にＯＦＦにすることも可能となる。【００１２】
また、テレビジョン装置は、薄型ディスプレイを備えた薄型筐体を有し、格納スペースは、パソコン本体の筐体主面をテレビジョン装置の筐体主面と平行に格納してもよい。これにより、液晶テレビなどの薄型筐体内にパソコン本体を格納することができる。また、前記一のコネクタは、パソコン本体側がメスコネクタであり、テレビジョン装置側がオスコネクタであってもよい。また、逆に、パソコン本体側がオスコネクタであり、テレビジョン装置側がメスコネクタであってもよい。また、二以上の接触型コネクタは、少なくとも一のコネクタがパソコン本体側がメスコネクタであり、テレビジョン装置側がオスコネクタであり、他のコネクタがパソコン本体側がオスコネクタであり、テレビジョン装置側がメスコネクタであってもよい。これにより、パソコン本体を取り外した場合に、コネクタの破損確率を低減することができる。【００１３】
また、前記パソコン本体は、セットトップボックス機能を含んでいてもよい。これにより、ケーブルテレビやデジタル放送などのデコードやスクランブル解除などを行う場合においてもスマートな外観を保つことができる。
【発明の効果】
【００１４】
本発明のパソコンテレビ装置は、テレビジョン装置の格納スペースにパソコン本体をスライドさせながら挿抜可能としたことにより、パソコン本体とテレビジョン装置とを一体化することができ、パソコンテレビ装置を設置する際の場所などの省スペース化を図ることが可能となる。また、パソコン本体がテレビジョン装置からスライド挿抜できるため、パソコン本体部分を取り替えることによって、パソコン本体のバージョンアップを容易に行うことができる。
【発明を実施するための最良の形態】
【００１５】
以下に、各発明の実施の形態を説明する。なお、本発明はこれら実施の形態に何ら限定されるものではなく、その要旨を逸脱しない範囲において、種々なる態様で実施し得る。【００１６】
なお、以下の実施形態と請求項の関係は次の通りである。実施形態１は、主に請求項１、１１、１６、１７などについて説明する。実施形態２は、主に請求項２などについて説明する。実施形態３は、主に請求項３などについて説明する。実施形態４は、主に請求項４などについて説明する。実施形態５は、主に請求項５などについて説明する。実施形態６は、主に請求項６、７などについて説明する。実施形態７は、主に請求項８などについて説明する。実施形態８は、主に請求項９などについて説明する。実施形態９は、主に請求項１０などについて説明する。実施形態１０は、主に請求項１２，１３、１４などについて説明する。実施形態１１は、主に請求項１５について説明する。【００１７】
<<実施形態１>>
<実施形態１の概要>
本実施形態は、パソコン本体と、このパソコン本体を筐体内の格納スペースに格納可能なテレビジョン装置と、からなるパソコンテレビ装置に関するものである。【００１８】
<実施形態１の構成>
本実施形態のパソコンテレビ装置は、「パソコン本体」と、「テレビジョン装置」と、からなる。テレビジョン装置は、「スライド機構」を有する。【００１９】
図１は、「テレビジョン装置」１００の一例を示す図である。そして、図１（ａ）はテレビジョン装置１００の正面図、図１（ｂ）はテレビジョン装置１００の背面図、図１（ｃ）はテレビジョン装置１００の左側面図をそれぞれ示している。「テレビジョン装置」は、図１に示すように、薄型ディスプレイを備えた薄型筐体であることが望ましい。具体的には、液晶テレビ、プラズマテレビ、リアプロジェクションテレビ、有機ＥＬテレビ、ＳＥＤ（Surface-conduction Electron-emitter Display）テレビ、などが挙げられる。【００２０】
テレビジョン装置１００は、パソコン本体を筐体内の格納スペース１０１に格納可能である。「筐体内」とは、テレビジョン装置の筐体内のことである。「格納スペース」は、パソコン本体が格納可能な大きさであればよく、パソコン本体のサイズに応じて相対的に大きさを設計することができる。また、「格納」とは、パソコン本体の全部または一部がテレビジョン装置の筐体内の格納スペースに収納される状態のことをいう。よって、例えば格納スペースの奥行（図１（ｂ）の矢印方向）は、パソコン本体の奥行よりも短くてもよい。すなわち、必ずしもパソコン本体の全部分が格納スペースに完全に収納された状態でなく、部分的に収納されている状態であっても、ここでいう「格納」に含まれるものである。【００２１】
「スライド機構」は、格納スペースにパソコン本体をスライド挿抜するためのものである。「スライド挿抜」とは、スライドさせて挿入したり、スライドさせて抜き出したりすることである。スライド機構とは、具体的にはレールが挙げられる。図２は、テレビジョン装置２００が格納スペース２０１にスライド機構としてのレール２０２を有している図である。スライド機構としてのレールを有していることにより、パソコン本体の挿抜を滑らかに行うことができる。なお、スライド機構は図２で示すようなレール構造のものでなくてもよい。スライド機構はパソコン本体をスライド挿抜するためのものであればよく、例えばテレビジョン装置の格納スペース内部を研磨した金属壁などで構成してスライド挿抜をし易くすることもスライド機構を有しているということに含まれる。なお、パソコン本体側にもスライド挿抜するためのスライド補助機構を有していてもよい。スライド補助機構の一例としては、取っ手などの把持部が挙げられる。また、スライド挿抜とは、水平方向のスライドに限られるものではなく、垂直方向のスライドであってもよい。本実施形態以降においては、スライドは横滑りさせるものを基本に説明を行うが、テレビジョン装置の上方向に開口を有する格納スペースを設けて、パソコン本体を上下方向にスライド挿抜してもよい。垂直方向のスライド挿抜を行う場合には、パソコン本体を装着する際に力をあまり加えずに装着することができる。また、本実施形態においては、格納スペースは左側面にある場合を例に挙げて説明を行っているが、格納スペースは右側面にあってもよい。【００２２】
「パソコン本体」は、コンピュータ装置のことである（本明細書においては、単にＰＣと記載している場合もある）。パソコン本体は、他のモニタ装置と接続して通常のパソコンとして使用することも可能である。また、パソコン本体は、パーソナル用ではなく、例えばサーバ装置として利用するものであってもここでいうパソコン本体に含まれるものである。【００２３】
<実施形態１の効果>
テレビジョン装置の筐体内にパソコン本体をスライド挿抜することにより、パソコン本体をテレビジョン装置と一体化させ、パソコンテレビ装置を設置する際の場所などの省スペース化を図ることが可能となる。また、パソコン本体がテレビジョン装置からスライド挿抜できるため、パソコン本体部分を取り替えることによって、パソコン本体のバージョンアップを容易に行うことができる。【００２４】
<<実施形態２>>
<実施形態２の概要>
本実施形態は、パソコン本体をテレビジョン装置筐体内の格納スペースに格納する際に、両者を一の接触型コネクタのみで接続する形態に関するものである。【００２５】
<実施形態２の構成>
実施形態２におけるパソコンテレビ装置は、実施形態１で説明したものと同様に、「パソコン本体」と、「テレビジョン装置」と、からなる。実施形態２においては、パソコン本体とテレビジョン装置とは、パソコン本体のスライド挿抜に応じて相互に着脱する一のコネクタのみで電気的に接続されている点が特徴である。【００２６】
図３は、テレビジョン装置３００とパソコン本体３１０とがそれぞれ一の接触型コネクタを有している様子を示す図である。図３（ａ）は、テレビジョン装置３００の左側面図である。図３（ａ）においては、格納スペース３０１の奥壁部分に一の接触型コネクタ３０３（図では単にコネクタと示す）が配置されている。一方、図３（ｂ、ｃ）はパソコン本体３１０が一の接触型コネクタ３１１を有している様子を示している。図３（ｂ）は、パソコン本体３１０のテレビジョン装置の格納スペースに挿入される面（Ａ面とする）を示す図である。図３（ｃ）は、Ａ面を側面から見たパソコン本体３１０の図である。図３（ｃ）には、スライド挿抜を容易にするために、パソコン本体の一の接触型コネクタ３１１を配する面と対向する面に把持部３１２を設けている。そして、この把持部３１２を利用して、パソコン本体を図３（ａ）で示す格納スペース３０１に挿入することでそれぞれのコネクタ３０３、３１１が相互に着脱することになる。図４は、かかる挿抜の様子を示すパソコンテレビの背面図である。このように、パソコン本体と、テレビジョン装置との接続をそれぞれ一のコネクタのみで接続することによって、スライド挿抜時の着脱を安定的に実行することができる。つまり、パソコン本体と、テレビジョン装置との接続を複数のコネクタを相互に着脱することで実行した場合には、いずれかのコネクタの変形もしくは破損によって当該コネクタの端子部分がつぶれてしまって接続できなくなってしまう。このため、他のコネクタも影響を受けて結果的に全ての端子が接続することができなくなってしまう。よって、一の接触型コネクタのみで接続することによって、パソコン本体をテレビジョン装置から着脱する動作を安定的に実行することが可能となる。また、一の接触型コネクタのみで接続することで、公差（製造時の許容される誤差）による装着時の困難性を低減することができる。【００２７】
なお、「電気的に接続」とは、コネクタを接続することによって、パソコン本体と、テレビジョン装置との間で電気的な信号をやり取りすることが可能な状態となることを意味する。例えば、パソコン本体からはモニタとしてのテレビジョン装置に対して、ディスプレイ表示させるための信号を送ったり、あるいは、テレビジョン装置から電源を供給される際に電気的な信号をやりとりする。コネクタを介してやり取りされる電気的な信号の具体的な例としては、映像入出力や音声入出力や電源供給などが挙げられる。また、後の実施形態で説明するように、テレビジョン装置に備えられたリモコン信号受信部から制御信号がパソコン本体に送られてもよい。なお、コネクタのピン数などをどのように構成するかは設計事項であるが一例としては、６２ピンのコネクタを用いることができる。どのピンにどの信号を流すかについてのピンアサインについては設計事項であり、任意に変更することができる。【００２８】
なお、「接触型コネクタ」とは、後述する非接触コネクタに対応する用語であり、具体的には接続用のピンを有するコネクタなど、オス・メス部分を有するコネクタ同士を相互に嵌合することにより接続がなされるコネクタのことを意味する。【００２９】
また、既に説明したように、テレビジョン装置は薄型ディスプレイを備えた薄型筐体であることが好ましく、この場合に、テレビジョン装置の格納スペースは、パソコン本体の筐体主面をテレビジョン装置の筐体主面と平行に格納することが好ましい。筐体主面とは、例えば筐体の６面の中で最も面積の大きい面のことである。図４は、パソコン本体の筐体主面をテレビジョン装置の筐体主面と平行に格納している様子をも示している。このように、パソコン本体をテレビジョン装置に格納する場合に、互いの最大面積の面を平行にするようにパソコン本体を格納することにより、薄型ディスプレイの利点である省スペース化を損なうことなく、パソコン本体をテレビジョン装置に格納することが可能となる。【００３０】
<実施形態２の効果>
本実施形態のパソコンテレビ装置においては、パソコン本体とテレビジョン装置とが、一の接触型コネクタのみで電気的に接続されることにより、スライド挿抜時の着脱を安定的に実行することができる。【００３１】
<<実施形態３>>
<実施形態３の概要>
本実施形態は、パソコン本体をテレビジョン装置筐体内の格納スペースに格納する際に、両者を二以上の接触型コネクタで接続する形態に関するものである。【００３２】
<実施形態３の構成>
実施形態３におけるパソコンテレビ装置は、実施形態１で説明したものと同様に、「パソコン本体」と、「テレビジョン装置」と、からなる。実施形態３においては、実施形態２と異なり、パソコン本体とテレビジョン装置とは、パソコン本体のスライド挿抜に応じて相互に着脱する二以上の接触型コネクタで電気的に接続される点が特徴である。【００３３】
「二以上の接触型コネクタ」とは、例えば一のコネクタが電源供給専用のコネクタとなっており、他のコネクタが映像信号や音声信号、あるいは、各装置を制御する制御信号用のコネクタとなっている場合が挙げられる。また、電源供給用のコネクタ、映像・音声信号用のコネクタ、その他制御信号のコネクタなど三以上の接触型コネクタであってもよい。【００３４】
特に、将来的にパソコン本体の電源供給が増加する場合には、電源供給専用のコネクタと、他の信号系のコネクタとを分離させておくことで、拡張性に富んだ構成とすることができる。また、各コネクタを分離させておくことにより、それぞれの信号間での干渉を低減させることができる。【００３５】
<実施形態３の効果>
本実施形態のパソコンテレビ装置においては、パソコン本体とテレビジョン装置とが二以上の接触型コネクタで電気的に接続されていることにより、各コネクタ相互の干渉を低減させることができる。また、一のコネクタを電源供給用のコネクタとすることで、将来的にパソコン本体の機能が向上した場合であってもその需要電源に耐え得る電源供給を行うことができる。このため、パソコン本体を別のパソコン本体に交換してバージョンアップを行う場合における障害要因を排除することができる。【００３６】
<<実施形態４>>
<実施形態４の概要>
本実施形態は、パソコン本体をテレビジョン装置筐体内の格納スペースに格納する際に、非接触で信号などの送受信を行う非接触型コネクタを有することを特徴とするものである。【００３７】
<実施形態４の構成>
実施形態４におけるパソコンテレビ装置は、実施形態１で説明したものと同様に、「パソコン本体」と、「テレビジョン装置」と、からなる。実施形態４においては、実施形態２又は３と異なり、パソコン本体とテレビジョン装置とは、パソコン本体のスライド挿抜に応じて相互に非接触で信号などの送受信を行う非接触型コネクタを有する点が特徴である。【００３８】
「信号など」とは、既に説明した映像信号、音声信号、制御信号、あるいは、電源供給用の電気信号などのことである。「非接触型コネクタ」は、非接触で信号などの送受信を行うものである。非接触で信号送受信をする一例としては、例えば非接触で電磁的に結合して信号の送受信を行ったり、あるいは、光通信によって信号の送受信を行うことが挙げられる。非接触にて信号の送受信を行うことにより、接触型コネクタによる物理的な接続を行わずに済むため、コネクタ破損を防止することができる。【００３９】
また、本実施形態のパソコンテレビ装置は、二以上の非接触型コネクタを有していてもよい。例えば、一の非接触型コネクタは電磁誘導によって電力を誘起させてパソコン本体に対して給電をし、他の非接触型コネクタは光通信による各種信号の送受信を行うといった構成を有してもよい。電磁的な信号の送受信と、光を用いた信号の送受信とを併用することで、干渉を防止することができ、適切な信号を相互にやり取りすることができる。光を用いた信号の送受信の場合には、例えば光を閉じ込めながら伝搬させる光導波路回路を基本要素とし、この光導波路に機能を付加して光変調器や光スイッチ等を形成したものと、これらと受発光素子とを組み合わせたものなどを用いることができる。【００４０】
図５は、本実施形態におけるパソコンテレビ装置の一例を示す図である。図５（ａ）においては、テレビジョン装置５００が電源を有している。そして、コイルで構成される非接触型コネクタ５０１は、電磁結合によって非接触でパソコン本体５１０に給電を行っている。パソコン本体５１０の信号処理回路は、この非接触コネクタ５０１を通じて得られた起電により駆動し、テレビジョン装置５１０の信号処理回路と、発光素子・受光素子などで構成される非接触型コネクタ５０２を介した光通信を行い、各種信号の送受信を行う。図５（ｂ）は、図５（ａ）の非接触型コネクタ部分の拡大例を示す図である。図５（ｂ）で示すように、テレビジョン装置５００と、パソコン本体５１０の間は、例えば斜線で示すようにプラスチックなどの樹脂素材５０３にて構成されている。また、光通信による発光素子・受光素子の非接触型コネクタ部分については、それぞれの光通信を適切に行うために、樹脂素材を部分的に省いた形状となっている。かかる構成により、樹脂素材部分同士を接触させることで、パソコン本体をテレビジョン装置内部に確実に格納することができる一方、非接触型コネクタ部分については、相互に接触をすることなく信号のやり取りを行うことが可能となり、コネクタの破損を防止することができる。【００４１】
<実施形態４の効果>
本実施形態のパソコンテレビ装置においては、パソコン本体とテレビジョン装置とが相互に非接触で信号などの送受信を行う非接触型コネクタを有することにより、パソコン本体をテレビジョン装置に格納する場合に、コネクタの物理的な破損を防止することができる。【００４２】
<<実施形態５>>
<実施形態５の概要と構成>
実施形態５におけるパソコンテレビ装置は、実施形態１から４のいずれかで説明したものと同様に、「パソコン本体」と、「テレビジョン装置」と、からなる。実施形態５においては、パソコン本体は、テレビジョン装置との前記コネクタにより給電されることを特徴とするものである。すなわち、テレビジョン装置とパソコン本体とは、テレビジョン装置が有している電源を共有するものである。【００４３】
<実施形態５の効果>
パソコン本体がテレビジョン装置からコネクタを通じて給電されることにより、パソコン本体側に電源を搭載せずに済むため、パソコン本体を小型化することができる。また、テレビジョン装置の電源を共有して使用することができるため、部品数を減らすことができるため、コストを削減することができる。【００４４】
<<実施形態６>>
<実施形態６の概要>
実施形態６は、パソコン本体をテレビジョン装置に挿入した状態における特徴的な構造を有するパソコンテレビ装置に関するものである。具体的には放熱のための開口を有していたり、ケーブルを表側から見えないようにサイズを調整していたりする。【００４５】
<実施形態６の構成>
実施形態６のパソコンテレビ装置も実施形態１から５のいずれかで説明したものと同様に、「パソコン本体」と、「テレビジョン装置」と、からなるものである。実施形態１から５で説明した部分に関しては、ここでの説明は省略する。【００４６】
図６は、パソコン本体６１０の一例を示す図である。図６（ａ）は、テレビジョン装置と接続するためのコネクタ６１１と対向する面についての一例を示す図である。コネクタ６１１と対向する面は、パソコン外部装置との接続端子を備えた外部装置接続面６１４である。パソコン外部装置とは、パソコン本体に内蔵されていない他の外部装置のことである。具体的には、マウスやキーボードと接続するためのＰＳ／２ポートや、外部ネットワークと接続するためのＬＡＮポートや、他の外部装置と接続するためのＲＳ−２３２ＣやＵＳＢポートなどがパソコン外部装置との接続端子の例として挙げられる。これらパソコン外部装置との接続端子を有することで、随意的に使用する機器を外部装置として、パソコン本体のサイズを極力コンパクトに抑えることができる。また、コネクタ６１１と対向する外部装置接続面６１４に外部装置との接続端子を有してることにより、接続端子にケーブルを挿入する際にパソコン本体からコネクタ側に対して押圧力が加わるため、コネクタ接続の安定性が高まる。【００４７】
図６（ｂ）は、パソコン本体６１０の左側面図の一例を示す図である。図６（ｂ）で示すように、パソコン本体６１０は、放熱のための放熱開口６１３をパソコン筐体に有している。なお、パソコン本体内部には、放熱を補助するためのファンを備えていてもよい。そして、図７で示すように、テレビジョン装置７００は、格納されたパソコン本体の前記放熱開口が対面するテレビジョン装置の筐体の位置に対応開口７０４を有する。パソコン本体の放熱開口が対面する位置に対応開口を設けることで、パソコン本体内部の熱を外部へ放出することができる。なお、テレビジョン装置の筐体の位置に有する対応開口は、必ずしもパソコン本体の放熱開口と同じ形状・サイズである必要はない。テレビジョン装置の対応開口は、パソコン本体の放熱開口よりも大きくてもよいし、小さくてもよい。また、図６及び図７で示すように、例えばパソコン本体の放熱開口が円形状であってもよいし、テレビジョン装置の対応開口は、放熱開口と異なる形状である方形状であってもよい。本発明に係るパソコンテレビ装置は、テレビジョン装置の筐体内にパソコン本体を格納してパソコン本体を使用するものであるが、放熱開口と対応開口とを備えることによって、パソコン本体及びテレビジョン装置のいずれにも熱がこもらずに済む。【００４８】
なお、図６で示すように、パソコン本体６１０のテレビジョン装置と接続するためのコネクタ６１２を有する面と対向する面は、パソコン外部装置との接続端子を備えた外部装置接続面６１４である。そして、テレビジョン装置の格納スペースとパソコン本体の構造及びサイズは、パソコン本体がテレビジョン装置に格納された状態で外部装置接続面がテレビジョン装置前面から隠れる位置に配置される構造及びサイズである。図８は、かかる状態の例を示すパソコンテレビ装置の背面図である。図８は、パソコン本体８１０がテレビジョン装置８００の筐体内に格納された状態を示している。この場合には外部装置接続面８１４がテレビジョン装置の背面側に現れる。そして、外部装置と接続するために各種のケーブルがこの外部装置接続面８１４の接続端子と接続されることになる。かかる状態において、この外部装置接続面８１４がテレビジョン装置前面から隠れる位置に配置されている場合には、これらのケーブルを前面から視認されず済む。このため、薄型テレビなどを、あたかもパソコン本体が格納されているとは気がつかないようスタイリッシュに配置することができる。【００４９】
<実施形態６の効果>
実施形態６におけるパソコンテレビ装置は、パソコン本体に放熱開口を備え、テレビジョン装置に対応開口を備えることによって、テレビジョン装置の筐体内にパソコン本体を格納した場合であっても放熱処理を行うことができるため、パソコン本体やテレビジョン装置の故障率を低減させることができる。また、パソコン本体とテレビジョン装置との構造及びサイズを適切に調整することによって、テレビジョン装置前面から外部装置接続面を隠すことができるため、スタイリッシュな外観を保つことができる。【００５０】
<<実施形態７>>
<実施形態７の概要>
実施形態７のパソコンテレビ装置は、例えばテレビジョン装置側にてパソコンを制御するためのリモコン信号を受け、その信号に基づいてパソコン本体を制御可能なことを特徴とするものである。【００５１】
<実施形態７の構成>
実施形態７におけるパソコンテレビ装置は、実施形態１から６のいずれかで説明したものと同様に、「パソコン本体」と、「テレビジョン装置」と、からなるものである。実施形態１から６のいずれかで説明した部分に関してはここでの説明を省略する。【００５２】
図９は、実施形態７におけるパソコンテレビ装置の一例を示す図である。テレビジョン装置９００は、パソコン本体９１０を制御するための制御信号取得部９０４を有する。「制御信号取得部」の一例としては、リモコン信号受信部が挙げられる。リモコン信号受信部は、例えば所定のリモコン信号を所定のキーボード信号に変換したり、あるいは、カーソル制御信号に変換したりするためのテーブルを有している。そして、これらをモード切替用のリモコン信号を受信することで、キーボード入力やマウス入力の切り換えを行うことができる。このように、リモコン信号受信部（制御信号取得部）を有することにより、リモコン装置をキーボードやマウスを代替する入力装置とすることができる。そして、前記一のコネクタ９０３、９１１は、取得した制御信号をテレビジョン装置からパソコン本体に送信する機能をも有する。すなわち、パソコン本体とテレビジョン装置とを電気的に接続するコネクタ９０３、９１１を介して、制御信号（例えば、前述のキーボード信号やカーソル制御信号）がパソコン本体側９１０に送信される。これを受けて、パソコン本体では、対応する制御を実行する。このように、テレビジョン装置内にいわば受光器を内蔵し、その受光器を介して（場合によっては受光器で信号変換処理が行われて）制御信号がパソコン本体に送信されることになる。なお、制御信号取得部の例として、リモコン信号受信部を例に挙げて説明をしたが、このほか、キーボードやマウスを接続するためのＰＳ／２ポートが制御信号取得部となっていもよい。例えば、テレビジョン装置の前面にこれらのＰＳ／２ポートを配置しておくことで、背面側からケーブルなどを迂回させることなく、キーボード操作などを行うことも可能となる。なお。図９の例においては、テレビジョン装置の前面に制御信号取得部を有しているが、これに限られることはない。テレビジョン装置の側面に制御信号取得部を有してもよいし、背面に制御信号取得部を有してもよい。【００５３】
<実施形態７の効果>
実施形態７におけるパソコンテレビ装置は、テレビジョン装置がパソコン本体を制御するための制御信号取得部を有し、制御信号がコネクタを介してパソコン本体に送信されることにより、例えばリモコンなどを用いてパソコン本体の動作制御を容易に行うことが可能となる。【００５４】
<<実施形態８>>
<実施形態８の概要>
本実施形態は、パソコン本体側からテレビジョン装置を制御することが可能であることを特徴とするものである。【００５５】
<実施形態８の構成>
実施形態８におけるパソコンテレビ装置は、実施形態１から７のいずれかで説明したものと同様に、「パソコン本体」と、「テレビジョン装置」と、からなるものである。実施形態１から７のいずれかで説明した部分に関してはここでの説明を省略する。【００５６】
パソコン本体は、テレビジョン装置を制御するための制御命令出力部を有する。テレビジョン装置に出力する制御命令の一例としては、例えばＯＳＤ（on-screen function）を制御するための信号を出力することが挙げられる。これにより、例えばバックライトの照射を調整してディスプレイ上の明るさを調整することができる。この他、例えばチューナを制御してチャンネルを切替えるための信号を出力したり、テレビジョン装置の電源をＯＦＦにするための信号を出力したりすることもできる。これらの実現に際しては、テレビジョン装置の制御基盤にパソコン本体側からの制御信号を入力するためのピンなどを設けることが必要となる。【００５７】
前記コネクタは、出力される制御命令をテレビジョン装置に対して伝送する機能をも有する。従って、コネクタを介して制御命令をテレビジョン装置に対して出力することで、パソコン本体からテレビジョン装置の制御を間接的に行うことができる。【００５８】
図１０は、パソコン本体のブロック図の一例を示すものである。パソコン本体は、一例としては制御命令出力部を構成するＣＰＵ１００１、ＲＡＭ１００２、Ｉ／Ｏ１００３などを有している。また、テレビジョン装置と接続するためのコネクタ１００４を有している。なお、コネクタ１００４は、接触型のコネクタであってもよいし、非接触型のコネクタであってもよい。ＣＰＵは、ＲＡＭに読み出したプログラムに従って、テレビジョン装置を制御するための制御命令を出力する。テレビジョン装置側にて制御命令を識別可能とするために、パソコン本体から出力される制御命令は、テレビジョン装置側と共通化された命令であることが好ましい。制御命令の出力タイミングについては、利用者からの任意操作に応じて起動中のプログラムに従って制御命令を出力したり、あるいは、後述するセンサ検知に応じて制御命令を出力したりすることができる。【００５９】
<実施形態８の効果>
本実施形態のパソコンテレビ装置は、パソコン本体がテレビジョン装置を制御するための制御命令出力部を有し、制御命令がコネクタを介してテレビジョン装置に送信されることにより、パソコン本体側からの操作でテレビのディスプレイ調節を行ったり、チャンネルを切替えたりすることができる。【００６０】
<<実施形態９>>
<実施形態９の概要>
本実施形態は、パソコン本体が有するセンサに応じてテレビジョン装置を制御することが可能であることを特徴とするものである。【００６１】
<実施形態９の構成>
実施形態９におけるパソコンテレビ装置は実施形態８で説明したものと同様に、「パソコン本体」と、「テレビジョン装置」と、からなるものである。実施形態８で説明した部分に関してはここでの説明は省略する。【００６２】
パソコン本体はセンサを有する。センサは、例えば光センサ、熱センサ（サーモグラフ）、温度センサ、赤外線センサなどの各種センサが挙げられる。制御命令出力部は、制御命令をセンサの感知に基づいて出力するセンサ感知出力手段を有する。これにより、例えばセンサによって、テレビジョン装置の前に人が所定時間いないとパソコン本体側で判断した場合には、パソコン本体からテレビジョン装置の電源を切るための制御命令が出力され、自動的に電源をＯＦＦにするといったことが可能となる。また、センサによって暗室であるとパソコン本体側で判断した場合には、テレビジョン装置のＯＳＤを制御してバックライトを弱めに調整するといったことが可能となる。【００６３】
図１１は、パソコン本体のブロック図の一例を示すものである。パソコン本体は、一例としては制御命令出力部及びセンサ感知出力手段を構成するＣＰＵ１１０１、ＲＡＭ１１０２、Ｉ／Ｏ１１０３などを有している。また、テレビジョン装置と接続するためのコネクタ１１０４や、センサ１１０５を有している。ＣＰＵは、ＲＡＭに読み出したプログラムに従って、テレビジョン装置を制御するための制御命令を出力する。そして、例えばセンサによって、人が不在であると判断できる場合には、ＣＰＵは、センサの情報を確認しながら、所定の時間を経過するまで待機する。そして、所定時間人が不在であると判断した場合には、ＣＰＵは、テレビジョン装置に対して電源をＯＦＦにするための制御命令をコネクタを介して出力することになる。【００６４】
<実施形態９の効果>
本実施形態においては、パソコン本体がセンサを有し、このセンサの感知に基づいて制御命令を出力するため、自動的に電源をＯＦＦにしたり、バックライトの調整を自動的に行うことができ、利便性を向上させることができる。【００６５】
<<実施形態１０>>
<実施形態１０の概要>
実施形態１０は、コネクタの形状に関するものである。以下、３パターンのコネクタ形状を有することについて説明を行うが、いずれも実施形態１から９で説明したパソコンテレビ装置を基本として構成することができる。【００６６】
<実施形態１０の構成１>
第一のパターンとしては、コネクタは、パソコン本体側がメスコネクタであり、テレビジョン装置側がオスコネクタである。パソコン本体はテレビジョン装置に挿抜されるものであるため、パソコン本体側のコネクタは外気にさらされやすい。よって、パソコン本体側をオスコネクタとした場合には、パソコン本体の転倒時の衝撃や、落下物などの影響によって破損する確率が高くなってしまうからである。よって、パソコン本体側のコネクタをメスコネクタとすることで、コネクタの破損確率を低減させることができる。【００６７】
<実施形態１０の構成２>
第二のパターンとしては、コネクタは、パソコン本体側がオスコネクタであり、テレビジョン装置側がメスコネクタである。コネクタが破損する確率としては前述のとおりオスコネクタの方がやや高いものである。本発明のパソコンテレビ装置においては、パソコン本体のバージョンアップが主に行われる。よって、交換頻度の高いパソコン本体の方をオスコネクタとすることで、パソコンテレビ装置全体の故障率をを低減させることができる。【００６８】
<実施形態１０の構成３>
第三のパターンとしては、前記二以上の接触型コネクタは、少なくとも一のコネクタがパソコン本体側がメスコネクタであり、テレビジョン装置側がオスコネクタであり、他のコネクタがパソコン本体側がオスコネクタであり、テレビジョン装置側がメスコネクタである。第三のパターンについては、実施形態３で説明した二以上の接触型コネクタに関する構成である。二以上のコネクタの形状を相互に変えることにより、パソコン本体を誤った方向で挿入した場合であっても装着することができないため、誤電流を流さずに済む。【００６９】
<<実施形態１１>>
<実施形態１１の概要と構成>
実施形態１１は、パソコン本体は、セットトップボックス機能を含むものであることを特徴とするものである。セットトップボックス機能とは、例えばケーブルテレビ・デジタル放送・IP放送等の復調、デコードないしスクランブル解除や、ICカード等による限定受信制御・コピー制御機能（B-CASカード等）や、VOD等での動画配信の受信・一時的蓄積や、各種放送等に伴うユーザサービス機能（留守録設定、EPG等）や、ペアレンタルロック機能（視聴年齢制限）や、ケーブルモデムの内蔵機能（パソコンに接続しブロードバンドインターネット接続）などである。【００７０】
あるいは、パソコン本体に代えてセットトップボックスそのものをテレビジョン装置の筐体内の格納スペースにスライド挿抜してもよい。【００７１】
<実施形態１１の効果>
実施形態１１においては、セットトップボックス機能を有しているパソコン本体、あるいは、セットトップボックスそのものをテレビジョン装置筐体内の格納スペースに格納することができるため、総合デジタルケーブルテレビジョン用に用いる場合であってもスタイリッシュな外観を保つことができる。【００７２】
なお、図１２は、パソコンテレビ装置の実例を示す図である。図１２（ａ）では、テレビジョン装置１２００にパソコン本体１２１０が格納されている様子を示している。図１２（ｂ）では、パソコン本体１２１０が一のコネクタ１２１１を有している様子を示している。
【図面の簡単な説明】
【００７３】
【図１】テレビジョン装置の一例を示す図
【図２】テレビジョン装置のスライド機構を説明するための図
【図３】テレビジョン装置とパソコン本体とのコネクタ接続を説明するための図
【図４】テレビジョン装置とパソコン本体をスライド挿抜する例を示す図
【図５】テレビジョン装置とパソコン本体とが非接触型コネクタを有する例を示す図
【図６】パソコン本体の一例を示す図
【図７】テレビジョン装置の対応開口を示す図
【図８】パソコン本体に外部装置と接続するためのケーブルを配した例を示す図
【図９】テレビジョン装置の制御信号取得部の例を示す図
【図１０】実施形態８におけるパソコン本体のブロック図
【図１１】実施形態９におけるパソコン本体のブロック図
【図１２】パソコンテレビ装置の実物例を示す図
【符号の説明】
【００７４】
１００    テレビジョン装置
１０１    格納スペース
２０２    スライド機構
３０３    コネクタ（テレビジョン装置側）
３１０    パソコン本体
３１１    コネクタ（パソコン本体側）
３１２    把持部
【図１】
2007135756.tif 000003
【図２】
2007135756.tif 000004
【図３】
2007135756.tif 000005
【図４】
2007135756.tif 000006
【図５】
2007135756.tif 000007
【図６】
2007135756.tif 000008
【図７】
2007135756.tif 000009
【図８】
2007135756.tif 000010
【図９】
2007135756.tif 000011
【図１０】
2007135756.tif 000012
【図１１】
2007135756.tif 000013
【図１２】
2007135756.tif 000014
【国際調査報告】
2007135756.tif 000015
2007135756.tif 000016
2007135756.tif 000017
2007135756.tif 000018